(57)【要約】  本発明は、身体部位に巻き付けることができ、周方向において伸縮性に形成されているか、又は、少なくとも１つの伸縮性区間が設けられている圧迫バンド（１０）と、身体部位に巻き付けられて緊張された状態において締め付けループを形成するように圧迫バンド（１０）をロックすることができるロック装置（３０）と、を備えている静脈止血帯に関する。構造及び取り扱いに関して有利な構成は、ロック装置が、相互に係合してロックされる２つのロック部分を備えた面ファスナとして形成されていることによって達成される。
2016538101.tif 000002
【特許請求の範囲】
【請求項１】
身体部位に巻き付けることができ、周方向において伸縮性に形成されているか、又は、少なくとも１つの伸縮性区間が設けられている圧迫バンド（１０）と、身体部位に巻き付けられて締め付けられた状態において締め付けループを形成するように前記圧迫バンド（１０）をロックすることができるロック装置（３０）と、を備えている静脈止血帯において、
前記ロック装置は、相互に係合してロックされる２つのロック部分を備えた面ファスナとして形成されており、
第１のロック部分（３００）は、前記圧迫バンド（１０）自体のバンド材料から形成されており、且つ、第２のロック部分（３０１）は、前記バンド材料に取り付けられる材料区間から形成されているか、又は、前記第１のロック部分（３００）及び前記第２のロック部分（３０１）は、前記バンド材料に一体化されていることを特徴とする、静脈止血帯。
【請求項２】
前記第１のロック部分（３００）にはループが設けられており、且つ、前記第２のロック部分（３０１）には、前記ループに係止するように形成されているフック部材が設けられており、
前記圧迫バンド（１０）は、高い引張強さ及び断裂強度を有しているプラッシュ材料から作製されている、請求項１に記載の静脈止血帯。
【請求項３】
前記圧迫バンド（１０）は、フリース又はフェルト又は紙状の材料から作製されている、請求項１又は２に記載の静脈止血帯。
【請求項４】
前記圧迫バンドは、ポリエステル、ポリプロピレン及び／又はビスコース材料から作製されている、請求項１乃至３のいずれか１項に記載の静脈止血帯。
【請求項５】
前記圧迫バンド及び前記第２のロック部分（３０１）は、１ｃｍから４ｃｍまでの範囲で同じ幅を有している、請求項１乃至４のいずれか１項に記載の静脈止血帯。
【請求項６】
前記圧迫バンド（１０）の締め付け状態を確認するための少なくとも１つの締め付けインジケータ（１０１）が設けられており、該締め付けインジケータ（１０１）は、所定の締め付け状態をユーザが識別できるように形成されている、請求項１乃至５のいずれか１項に記載の静脈止血帯。
【請求項７】
前記締め付けインジケータ（１０１）は、負荷が掛けられていない圧迫バンド（１０）に関して所定の余長を有して、２つの固定箇所間で伸長方向に前記圧迫バンド（１０）の伸縮性区間をブリッジしており、且つ、柔軟であるが非伸縮性である材料から成るストラップ区間として形成されている、請求項６に記載の静脈止血帯。
【請求項８】
前記圧迫バンド（１０）は、柔軟であるが非伸縮性である材料から形成されており、且つ、前記ストラップ区間は、前記圧迫バンド（１０）の一体化された部分を形成しており、前記固定箇所には前記伸縮性区間を形成する伸縮性部材（２０）が接続されている、請求項７に記載の静脈止血帯。
【請求項９】
前記圧迫バンド（１０）自体が少なくとも部分的に伸縮性バンドとして形成されており、且つ、非伸縮性の材料から成る前記ストラップ区間が前記伸縮性バンドにおける前記固定箇所に接続されている、請求項７に記載の静脈止血帯。
【請求項１０】
前記伸縮性区間又は前記伸縮性バンドの他の区間に、最初の伸長時に断裂される使用インジケータ（４０）が設けられている、請求項７乃至９のいずれか１項に記載の静脈止血帯。
【請求項１１】
接着、溶接、熱可塑性方式又は縫い付けによって、前記固定箇所において、前記第２のロック部分（３０１）と、また必要に応じて伸縮性区間又はストラップ区間と、前記圧迫バンド（１０）との接続部が形成されている、請求項２乃至１０のいずれか１項に記載の静脈止血帯。
【発明の詳細な説明】
【技術分野】
【０００１】
本発明は、身体部位に巻き付けることができ、周方向において伸縮性に形成されているか、又は、少なくとも１つの伸縮性区間が設けられている圧迫バンドと、身体部位に巻き付けられて締め付けられた状態において締め付けループを形成するように圧迫バンドをロックすることができるロック装置と、を備えている静脈止血帯に関する。
【０００２】
この種の静脈止血帯は、米国特許第３９３０５０６号明細書に開示されている。圧迫バンドの端部区間には、引張応力が加えられた状態で身体部位に巻き付けられた締め付けループを固定するために固着区間が取り付けられている。この固着区間が最初の固定時に、正確な位置に固定されないと、信頼できる再度の固定が保証されていないので、それによって利用にあたり欠点が生じると考えられる。固着手段の取り付けも相応のコストに繋がっている。
【０００３】
米国特許第３６２８５３６号明細書には、別の静脈止血帯が開示されている。この静脈止血帯は、長手方向にわたり分散されている複数の開口部と、その開口部への係合に適合された、端部に取り付けられている突起部と、を備えたロック装置を有している。
【０００４】
米国特許出願公開第２０１２／００７１９１７号明細書には、負傷時に血液が大量に失われることを阻止するための、身体部位用の圧迫装置が開示されている。この公知の圧迫装置では、身体部位に巻き付けられてループを形成する圧迫バンドの高い締め付け力を達成するための締め付け装置と、圧迫バンドにおいて形成された締め付け力を触覚又は視覚により確認することができる締め付けインジケータと、が設けられている。これに関しては、例えば、その刊行物の図１４Ａ及び図１４Ｂ及びそれらの説明に示されているように、締め付けウェビングが折り畳まれており、また折り畳み領域において固定箇所に固定されているが、それらの固定箇所は過剰の締め付け力が生じると断裂する。それらの固定箇所は締め付けウェビングの幅にわたって、異なる数の複数の固定点を有することができ、それによってそれらの固定箇所は相応の異なる引張応力で断裂する。もっとも、１つ又は複数の固定箇所において断裂を生じさせるためには、そのような高い引張応力が先ず加えられなければならないが、しかしながら、それによって引張応力は急激に弱まる。この措置によって、例えば静脈を鬱血させるために静脈止血帯において作用する程度に加えられる締め付け力を達成すること及び識別することは困難になる。またロック装置も比較的煩雑である。
【０００５】
身体部位用の別の圧迫装置は、米国特許第５６５３７２８号明細書、国際出願公開第２００６／０１５９８７号、英国特許出願公開第２４２４１８９号明細書、米国特許第６５２５２３８号明細書、米国特許出願公開第２００８／０３１２６８２号明細書並びに米国特許第６２５００４７号明細書に開示されている。それらの圧迫装置には種々のロック装置が設けられているが、ロック又は固定は部分的に煩雑であるか、又は構造コストが高い。例えば、米国特許第５６５３７２８号明細書及び国際出願公開第２００６／０１５９８７号においては、使用後に廃棄可能であるものとして圧迫装置を形成することも開示されている。これは、臨床の分野では衛生に関する規定を遵守するためにしばしば必要となる。
【０００６】
独国特許出願公開第１０２００９０２５４１６号明細書には、柔軟であるが非伸縮性である区間と、複数のベルト領域を相互に又は整形外科装置に固定するための固定装置と、を備えているサポートベルト又は固定ベルトが開示されている。固定装置を面ファスナ部材として形成して縫い付けるか、接着させるか又は溶接することができるか、若しくはベルトストラップの端部に縫い付けることができる。また、連続的な伸縮性のベルト区間の上面にはプラッシュ層を設けることができ、その一方で下面には端部領域を相互に固定するための、又は端部を整形外科装置に固定するための固定装置が設けられている。端部領域に固定装置を備えているその種のサポートベルト又は固定ベルトは、ループの大きさを可変に調整することができず、また静脈止血帯として使用することができない。
【０００７】
面ファスナを備えている別のストラップ状のベルト又はベルト区間は、欧州特許出願公開第２０４５０４７号明細書、英国特許出願公告第４７９４４２号明細書及び英国特許出願公告第１０３３１３０号明細書に示されている。
【０００８】
本発明が基礎とする課題は、確実な機能を備えた簡単な構造を有しており、且つ、簡単に利用することができる、冒頭で述べたような静脈止血帯を提供することである。
【０００９】
この課題は、請求項１の特徴部分に記載の構成によって解決される。ここでは、ロック装置が、相互に係合してロックされる２つのロック部分を備えた面ファスナとして形成されている。この構造は、例えば静脈を鬱血させるには十分な引張応力でもって身体部位に、例えば腕部に固定する際に僅かな動作での簡単な取り扱いを実現する。有利には、衛生上の要求を満たすために、圧迫装置は使い捨てすることができる。２つのロック部分によって、有利には、一方の面におけるフック部材と、他方の面におけるループとによって、身体部位の面方向及び周方向において高い引張強さを有する安定した接続が実現される。
【００１０】
作製及び簡単な使用のための特に有利な構造は、第１のロック部分が圧迫バンド自体のバンド材料から形成されており、且つ、第２のロック部分がバンド材料に取り付けられる材料区間から形成されているか、又は、バンド材料に一体化されていることによって得られる。
【００１１】
機能及び用途にとって有利な構成は、圧迫バンドが、高い引張強さ及び断裂強度を有しているプラッシュ材料から作製されていることに本質がある。
【００１２】
別の有利な構成は、圧迫バンドが、フリース、例えば不織布、又はフェルトから作製されているか、若しくは、粗面化された表面又は微細毛を備えた表面を有している紙状の材料から作製されていることによって実現される。フリースを例えばスパンレース法を使用して作製することができる。
【００１３】
別の有利な種々の構成のヴァリエーションは、圧迫バンドがポリエステル、ポリプロピレン及び／又はビスコース材料から作製されていることによって達成される。
【００１４】
機能及び取り扱いに関して更に有利には、圧迫バンド及び第２のロック部分が、１ｃｍから４ｃｍまでの範囲の、有利には１．５ｃｍから３ｃｍまでの範囲の同じ幅を有している。
【００１５】
使用に関しては、圧迫バンドの締め付け状態を確認するための少なくとも１つの締め付けインジケータが設けられており、ユーザが所定の締め付け状態を識別できるようにこの締め付けインジケータが形成されていることによって、更なる利点が得られる。
【００１６】
この措置によって、ユーザは、例えば圧迫装置が静脈止血帯として形成されている場合には、血流を止めるために必要とされる、比較的僅かな引張応力（例えば毛細血管の領域では約１０ｍｍＨｇの引張応力又は比較的太い静脈の領域では２５ｍｍＨｇ未満の引張応力）を正確に調整することができる。これによって、処置される人間にも必要以上に負担が掛かることはない。
【００１７】
形成された引張応力を識別するための有利な構成は、締め付けインジケータが、負荷が掛けられていない圧迫バンドに関して所定の余長を有して、２つの固定箇所間で伸長方向に圧迫バンドの伸縮性区間をブリッジしており、且つ、柔軟であるが非伸縮性である材料から成るストラップ区間として形成されていることに本質がある。圧迫バンドが締め付けられていない状態における固定箇所の間隔に関して余長を有するように（例えば折り畳まれた区間として）形成されているストラップ区間が依然として緩い場合には、規定された所定の締め付け状態にはまだ達していない。これに対して、固定箇所間において伸長された伸縮性区間に基づき、柔軟であるが非伸縮性であるストラップ区間が完全に圧迫バンドに沿って延在している場合には、例えば静脈の血流を止めるための所定の締め付け状態に達している。従って、２つの固定箇所間のストラップ区間の余長によって、各使用ケースに関する所望の所定の締め付け状態をメーカ側で設定することができ、ユーザは使用時に、その締め付け状態を容易に、また一義的に識別及び調整することができる。
【００１８】
有利な構成の１つのヴァリエーションは、圧迫バンドが柔軟であるが非伸縮性である材料から形成されており、且つ、ストラップ区間が圧迫バンドの一体化された部分を形成しており、固定箇所には伸縮性区間を形成する伸縮性部材が接続されていることに本質がある。
【００１９】
有利な構成の１つの別のヴァリエーションは、圧迫バンド自体が少なくとも部分的に伸縮性バンドとして形成されており、且つ、非伸縮性の材料から成るストラップ区間が伸縮性バンドにおける固定箇所に接続されていることに本質がある。
【００２０】
使い捨てにとって有利な圧迫装置は、伸縮性区間又は伸縮性バンドの他の区間に、最初の伸長時に不可逆的に断裂されるか損傷する、例えば紙又はラッカから成る使用インジケータが設けられていることに本質がある。この場合、使用インジケータの断裂力は有利には低いので、この断裂力は圧迫バンドの締め付け過程に及ぼす影響は可能な限り小さく、また、断裂は例えば所定の締め付け状態における伸長の数％（例えば所定の締め付け状態における伸長の１０％又は２０％未満）の僅かな伸長において既に生じる。このことは、例えば、相応の材料選択及び／又は材料厚さ及び／又は使用インジケータの形状若しくは接続箇所における断裂によって達成することができる。
【００２１】
作製及び機能に関して、第２のロック部分を、また必要に応じて伸縮性区間又はストラップ区間を、接着、溶接、熱可塑性方式又は縫い付けによって、固定箇所において圧迫バンドに取り付けることによって接続部が形成される措置は有利である。
【００２２】
以下では、複数の実施例に基づき、複数の図面を参照しながら本発明を詳細に説明する。
【図面の簡単な説明】
【００２３】
【図１Ａ】圧迫装置の第１の実施例を斜視図で示す。
【図１Ｂ】圧迫装置の第１の実施例を斜視図で示す。
【図２】図１Ａに示した圧迫装置を上面図、側面図及び下面図で示す。
【図３Ａ】圧迫バンドが締め付けられていない状態の圧迫装置の別の実施例を上面図、側面図、下面図、斜視図並びに部分拡大図で示す。
【図３Ｂ】圧迫バンドが締め付けられた状態の圧迫装置の別の実施例を上面図、側面図、下面図、斜視図並びに部分拡大図で示す。
【図４Ａ】締め付けられていない状態の圧迫装置の別の実施例を側面図及び下面図で示す。
【図４Ｂ】締め付けられた状態の圧迫装置の別の実施例を側面図及び下面図で示す。
【００２４】
図１Ａ及び図１Ｂには、静脈止血帯として形成されており、また圧迫バンド１０を有している圧迫装置１の第１の実施例が示されている。圧迫バンド１０は、少なくとも部分的に血流を止めるために、閉じられた締め付けループの形で身体部位に巻き付けることができ、また締め付けられた状態においてロック装置３０によって固定することができる。ロック装置３０は、相互に係合してロックされる２つのロック部分を備えた、即ち第１のロック部分３００及び第２のロック部分３０１を備えた面ファスナとして形成されている。
【００２５】
図示されている実施例において、圧迫装置１は締め付けインジケータ１０１を有しており、この締め付けインジケータ１０１でもって、ユーザは、身体部位に巻き付けられた締め付けループの領域における圧迫バンド１０の締め付け力を識別することができる。締め付けインジケータ１０１は、有利には、ロック側のバンド区間の近傍に配置されているので、いかなる場合においても、当て付けられている身体部位に締め付けループがもたらす締め付け力に晒されている。
【００２６】
図１Ａ及び図１Ｂに示されている実施例においては、圧迫バンド１０自体が、ロック装置３０の第１のロック部分３００として形成されており、その一方で、第２のロック部分３０１は、圧迫バンド１０に取り付けられた材料区間として形成されている。有利な構成では、圧迫バンド１０が、生じる伸長力に関して十分な断裂強度を有しているか、又は十分に高い引張強さを有しているプラッシュ材料から作製されており、この材料は面ファスナのためのループ（輪奈）を形成しており、他方、第２のロック部分３０１は、第１のロック部分３００のループに適合されたフック部材を有する平坦な材料から成る短い区間として形成されている。
【００２７】
フック部材は、有利には、該当する身体部位に巻き付けられたバンド区間の引張力又は締め付け力に反する方向に向けられた小さいフックを多数有している。しかしながら、フック部材をマッシュルーム状の部材、鋸歯状の部材等として形成することもでき、その場合、ループ又はそのループを含む輪奈状ウェビングが相応に適合されている。ループ（必ずしも閉じられたループとして形成されている必要はない）及びフック部材を、特に、多数の細毛としての小型化された構成で、ゲッコー効果（gecko effect）のようにして相互に係止させることができる。有利には、２つのロック部分のフック部材及びループがマイクロエレメントとして、圧迫バンドが、圧迫すべき身体部位の皮膚と直接的に接触する場合であってもフリースのように柔らかい感触であるように形成されている。
【００２８】
検査の結果、上記のように形成されている面ファスナは取り付けられた状態において、圧迫バンド１０の面又は圧迫バンド１０の周方向に平行な十分に高い引張力（剪断力）を受容し、例えば静脈の必要とされる圧迫を保証することができ、その際、静脈の領域において１０ｍｍＨｇまで又は２５ｍｍＨｇまでの圧力を形成するための圧迫バンド１０の締め付け状態を確実に達成することができる。取り付け及び取り外しのために、面ファスナを容易且つ迅速に開閉することができる。
【００２９】
例えば１ｃｍから５ｃｍの間（有利には１．５ｃｍから３ｃｍの間）の幅の圧迫バンド１０は、非常に薄い（１ｍｍ未満の）ロール材料又は面状材料から切り出すことができ、また、高い断裂強度を有しながら非常に柔軟性がある。圧迫バンド自体が例えば低い固有伸縮性を有していることも考えられ、その結果、身体部位に取り付けられた後に、それ自体が伸縮性の締め付け力を形成する。択一的又は付加的に、適切な材料から作製された伸縮性部材２０によって締め付け力を形成することができ、この伸縮性部材２０は、締め付けインジケータ１０１の領域内又は領域外で圧迫バンド１０に取り付けられている。
【００３０】
第２の閉鎖部材３０１は、有利には、圧迫バンド１０と同一の幅を有しており、また有利には、例えば１ｃｍから５ｃｍの間の短い長さを有している。択一的に、圧迫バンド１０の全長にわたり、又はほぼ全長にわたり、第２の閉鎖部材３０１が延在していても良い。第２の閉鎖部材３０１自体は、薄い柔軟な材料から作製されており、また例えば、溶接（レーザ溶接、超音波溶接等）、接着、熱可塑性結合方式、縫い付け等によって、圧迫バンド１０の端部区間に、又は、圧迫バンド１０の全長又はほぼ全長にわたり取り付けられている。面ファスナをロックするため又は閉じるために、身体部位に巻き付けられた別のループ区間をロック部分３０１に押し付けることだけが必要とされ、それによって、ロック部分が相互にロックされる。実施の形態の別の１つの態様では、ループ（又は輪奈）が不織布材料又は輪奈状ウェビングの同一の層において相互に一体化されている。
【００３１】
圧迫バンド又は面ファスナに適した材料は、ビスコース、ポリエステル、ポリプロピレンであり、有利には肌触りの良い不織布が使用される。
【００３２】
図２には、静脈止血帯として形成されており、また、圧迫バンド１０、伸長区間１００とブリッジ状の伸縮性部材とを備えている締め付けインジケータ１０１並びに面ファスナの第２のロック部分３０１を有している圧迫装置の一部が、上面図、側面図及び下面図で示されている。
【００３３】
図３Ａには、圧迫バンド１０が締め付けられていない状態にある、静脈止血帯として形成されている圧迫装置１が、上面図、側面図及び下面図で示されている。図３Ｂには、圧迫バンド１０が締め付けられた状態にある、圧迫装置又は静脈止血帯が同様に、締め付けインジケータ１０１の領域の拡大された部分Ｂと共に示されており、圧迫バンド１０は、伸縮性部材２０が配置されている伸長区間１００の領域において、所定の長さだけ伸長されている。圧迫バンド１０が締め付けられていない状態から、又は僅かにしか締め付けられていない状態から出発して、この所定の長さに達すると、圧迫バンド１０の所定の締め付け状態が発生することになる。この際に作用する締め付け力は、伸長区間１００を形成することによって、例えば関連する材料の選択（材料特性及び／又は幾何学的な特性、例えば長さ、厚さ、幅、凹部等）によって、作製時に所期のように調整することができる。また図３Ａ及び図３Ｂにおいては、下記において詳述する使用インジケータ４０も示されている。
【００３４】
図示されている実施例において、圧迫バンド１０自体を、非伸縮性であるが、しかしながら柔軟な材料から作製することができる。圧迫装置１がロールとして作製される場合には、それを維持して、圧迫バンド１０の所望の長さに応じて切断することができる。リサイクル可能な材料は有利であり、例えば再生可能な原料から成る天然強化繊維も組み込むことができ、またその他の部分、例えばロック装置、伸長区間、固定手段等もリサイクル能力の高さを考慮して選択することができる。圧迫装置１の作製方法、機能及び構成を、有利には、使い捨てに関して設計することもできる。
【００３５】
締め付けインジケータ１０１は、図１Ａ及び図１Ｂに示した実施例では、例えば、伸長方向において相互に間隔を空けて設けられている固定箇所において、余長を有するように、伸縮性の材料から成る伸長区間１００に取り付けられていることによって、実質的に非伸縮性の圧迫バンド１０自体の一部として形成されている。２つの固定箇所の間には、締め付けインジケータ１０１が形成されている圧迫バンド１０が折り畳まれて延在しており、余長は、伸長区間１００の形成にも依存する、形成すべき所望の規定された締め付け状態に合わせて調整されている。固定箇所への接続は、例えば接着、溶接（レーザ溶接、超音波溶接等）、熱可塑性結合方式、縫い付け等によって十分に固定されるように行われている。圧迫バンド１０を締め付ける際、ユーザは、次第に伸長区間１００に接近する折り目に基づき、伸長過程を調整することができ、従って、高まった締め付け力を調整することができ、また、２つの固定箇所をブリッジしている、圧迫バンド１０のストラップ区間がその最大伸張位置に達すると、それを一義的に識別することができる。その瞬間においては、調整された所定の締め付け状態、又はその際に形成されている圧迫バンド１０の最適な締め付け力も達成されている。例えば、細動脈から静脈への移行領域における毛細血管の領域における静脈血流が止められるべき場合には、相応に調整された、約１０ｍｍＨｇの所定の締め付け状態で十分であるので、治療すべき人間に掛かる負担は小さくなる。静脈の領域においては、例えば２５ｍｍＨｇ未満の圧力に応じた圧迫バンド１０の締め付け状態によって、血流又は脈動を達成することができる。このために、又は他の用途のために、上述の措置によって、相応に形成された圧迫装置１を提供することができ、その際、締め付けインジケータ１０１及び伸長区間１００は各適用事例に合わせて正確に調整されている。
【００３６】
相応に、有利には異なる所定の締め付け状態を与える、２つ以上の締め付けインジケータを取り付けることができる。
【００３７】
圧迫装置１の別の実施例においては、圧迫バンド１０自体を伸縮性材料から形成することができる。伸長方向において相互に間隔を空けて設けられている固定箇所に、所定の余長を有している締め付けインジケータ１０１が取り付けられている場合には、この締め付けインジケータ１０１は有利には、前述の実施例の場合と同様に、柔軟であるが非伸縮性である材料から形成されている。圧迫バンド１０が伸長すると、締め付けインジケータ１０１の折り畳まれたストラップ区間が次第に、圧迫バンド１０の外側の表面に接触する。この際、ストラップ区間の余長が、ここでは上記の実施例に則した伸縮性部材２０に相当する、伸縮性の圧迫バンドのブリッジ区間に合わせて調整されており、しかも、圧迫バンド１０の該当する区間全体に沿ってストラップ区間が延在している場合には、折り畳みが生じずに、所望の所定の締め付け状態が達成されるように調整されている。この状態においては、圧迫バンドを更に強く締め付ける必要なく、ユーザによる面ファスナを用いたループの固定が行われる。
【００３８】
圧迫装置１の別の構成が図３Ａ及び図３Ｂに示されている。ここでは、図１Ａの実施例に応じて、圧迫装置に締め付けインジケータ１０１が設けられており、この締め付けインジケータ１０１は、上記において詳細に説明したように、ストラップ区間として、負荷が掛けられていない圧迫バンドに関して余長を有するように、２つの固定箇所間で伸縮性部材２０をブリッジしている。ロック装置３０も図１Ａの実施例に応じて形成されている。しかしながら付加的に、使用インジケータ４０が設けられており、この使用インジケータ４０も、図示されている実施例においては同様に、伸縮性部材２０をブリッジしているか、又は、伸縮性部材２０の長手方向に延在している少なくとも１つの区間をブリッジしている。
【００３９】
使用インジケータ４０は、長手方向又は伸長方向に延在している断裂部材として形成されており、この断裂部材は伸縮性部材２０の伸長時に、所定の締め付け状態が存在する最終的な伸長状態に達する前に、僅かに力が加わるだけで断裂する。断裂部材と同様に、その他の不可逆的に損傷させることができる別の部材、例えばラッカを被着させることもできる。伸長過程の間に断裂部材がどの領域において断裂すべきかを、同様に、伸縮性部材２０における断裂部材の２つの固定箇所又は取り付け箇所間のある程度の余長によって決定することができるが、しかしながら、引き裂き部材の余長はいずれの場合においても、締め付けインジケータ１０１に設けられているストラップ区間の余長よりも短い。例えば、このようにして、伸縮性部材の伸長が、所定の締め付け状態において存在する伸長に対して例えば約２０％、約５０％又は約８０％又は他の比較的低い中間値に達すると、断裂部材が既に断裂するように決定することができる。断裂に関する任意の中間値をこのようにして正確に調整することができる。使用インジケータ４０の断裂部材が断裂している場合、このことは、圧迫装置１が既に使用されていること、つまり最初の使用ではないことを意味している。このことは、例えば使い捨て用の圧迫装置１において必要とされる。断裂部材は、例えば、容易に断裂する紙ストリップ又は繊維ストリップから形成されており、有利には非伸縮性であるが、しかしながら柔軟である。
【００４０】
締め付けインジケータ１０１の固定箇所及び使用インジケータ４０の取り付け箇所が平面図で見て一致している場合には、２つのインジケータを簡単に１つの共通の作業ステップで作製することができ、また機能ユニットとして所望のやり方で上下に正確に重なり合うように調整することができる。
【００４１】
使用インジケータ４０に使用される断裂部材の、該当する固定箇所又は取り付け箇所との接続は、伸縮性部材２０に関連して説明したように、つまり例えば、接着、溶接（レーザ溶接、超音波溶接、圧力技術を用いる圧着等）、縫い付け又は熱可塑性結合方式によって行なうことができるが、しかしながら、他の適切な取り付け方式に従って行っても良い。区間Ａの拡大図においては、接続区間（取り付け箇所）が示されており、伸縮性部材２０はその上面において圧迫バンド１０に固定されており、またその下面において、断裂部材の該当する取り付け区間と接続されている。
【００４２】
図３Ｂには、例えば所定の締め付け状態において存在するような、圧迫バンド１０の伸長された状態が示されている。この際、使用インジケータ４０の断裂部材は伸長によって既に断裂しており、断裂した側にある両縁部は比較的大きい伸長ギャップによって相互に間隔を空けて位置している。つまり、断裂は、伸長の相応に早期の段階において既に行われている。断裂領域（詳細Ｂ）の拡大図においては、断裂部材の（閉鎖側の）残存する区間、伸長時に薄くなった伸縮性部材２０並びに締め付けインジケータ１０１の伸長したストラップ区間が見て取れる。
【００４３】
図４Ａ及び図４Ｂに示されているように、圧迫装置１は、締め付けインジケータ１０１から独立して、又は、締め付けインジケータ１０１から長手方向にずらされて、圧迫バンド１０に使用インジケータ４０を有することができ、後者の場合には、伸縮性部材２０が２つの固定箇所又は取り付け箇所の間を、図３Ａ及び図３Ｂに従い説明したように、余長を伴って（択一的には余長を伴わずに）ブリッジしている。圧迫バンド１０を、伸縮性部材２０の外側において、ここでもまた非伸縮性ではあるが柔軟である材料から、又は伸縮性の材料から形成することができる。
【図１Ａ】
2016538101.tif 000003
【図１Ｂ】
2016538101.tif 000004
【図２】
2016538101.tif 000005
【図３Ａ】
2016538101.tif 000006
【図３Ｂ】
2016538101.tif 000007
【図４Ａ】
2016538101.tif 000008
【図４Ｂ】
2016538101.tif 000009
【国際調査報告】
2016538101.tif 000010
2016538101.tif 000011
2016538101.tif 000012
2016538101.tif 000013
2016538101.tif 000014
2016538101.tif 000015